(57)【要約】  種々の環境変化が免疫学的な結合反応の平衡状態に与える影響を抑制する自動分析装置を提供することを目的とする。  本発明の一態様の自動分析装置は、試料及び試薬を反応させた液体中から未反応成分と反応成分を分離するＢ／Ｆ分離工程を実行するＢ／Ｆ分離部と、Ｂ／Ｆ分離工程後の液体中の反応成分を検出する検出部と、Ｂ／Ｆ分離部、及び、検出部を、略同一の温度環境に維持する温度維持部と、を備える。
2019087482.tif 000002
【特許請求の範囲】
【請求項１】
試料及び試薬を反応させた液体中から未反応成分と反応成分を分離するＢ／Ｆ分離工程を実行するＢ／Ｆ分離部と、
前記Ｂ／Ｆ分離工程後の液体中の反応成分を検出する検出部と、
前記Ｂ／Ｆ分離部、及び、前記検出部を、略同一の温度環境に維持する温度維持部と、を備える、自動分析装置。
【請求項２】
前記Ｂ／Ｆ分離部と前記検出部は、外部から区切られた内部空間内に配置される、請求項１記載の自動分析装置。
【請求項３】
前記温度維持部は、前記内部空間内に配置される、請求項２記載の自動分析装置。
【請求項４】
前記Ｂ／Ｆ分離部により処理された反応容器を、前記内部空間の外に搬出することなく前記検出部に搬送する搬送部を更に備える、請求項３記載の自動分析装置。
【請求項５】
前記Ｂ／Ｆ分離部は、
前記溶液中の磁性微粒子を集磁する集磁部と、
前記反応容器から前記不要な成分を吸引する吸引ノズルと、
前記反応容器内に、前記反応液を生成するための第１液体を吐出する吐出ノズルと、
前記反応容器内で、前記吸引ノズルにより吸引されなかった成分、及び、前記第１液体を撹拌することにより前記反応液を生成する撹拌部と、を備える、請求項２記載の自動分析装置。
【請求項６】
前記反応液を収容する反応容器、前記第１液体を収容する第１液体用容器、及び、前記検出部の検出工程に用いられる第２液体を収容する第２液体用容器、を有する検出部容器搬送部を備える、請求項５記載の自動分析装置。
【請求項７】
前記Ｂ／Ｆ分離部は、前記反応容器の下部に配置される、請求項６記載の自動分析装置。
【請求項８】
前記検出部は、前記反応液を発光させ該反応液から出射した光を検出するフローセル方式の検出器を備える、請求項１乃至７何れか一に記載の自動分析装置。
【請求項９】
前記温度維持部は、ペルチェ素子を利用する冷熱源、空気循環用の送風機、前記内部空間内の温度の一部又は複数の箇所を測定するためのセンサ、を備える、請求項１乃至８何れか一に記載の自動分析装置。
【発明の詳細な説明】
【技術分野】
【０００１】
本発明は、自動分析装置に関する。
【背景技術】
【０００２】
医療やバイオテクノロジーの分野において、試料に含まれる血液、血清、尿等の生体由来等の試料中に含まれる特定の生体成分や化学物質などに対して、インキュベータ（反応ディスク）の恒温環境下で磁性微粒子と発光標識等を免疫学的に結合させることによって免疫複合体を形成し、その発光標識を検出する免疫分析装置がある。ここで、検出対象成分の検出感度を向上させるために、Ｂ／Ｆ分離機構にフローセル方式の検出機構を組み合わせる分析装置が開示されている（特許文献１参照）。
【先行技術文献】
【特許文献】
【０００３】
【特許文献１】国際公開第２００９／１５１０５８号
【発明の概要】
【発明が解決しようとする課題】
【０００４】
特許文献１には、Ｂ／Ｆ分離機構と検出器の温度環境を均一化することについて言及されていないため、Ｂ／Ｆ分離工程等における環境変化（例えば、溶液置換に伴うイオン強度変化、温度変化等）が、免疫学的な結合反応の平衡状態に影響を及ぼし得る、という課題がある。【０００５】
そこで、本発明の目的は、種々の環境変化が免疫学的な結合反応の平衡状態に与える影響を抑制する自動分析装置を提供することにある。
【課題を解決するための手段】
【０００６】
本発明の一態様の自動分析装置は、試料及び試薬を反応させた液体中から未反応成分と反応成分を分離するＢ／Ｆ分離工程を実行するＢ／Ｆ分離部と、Ｂ／Ｆ分離工程後の液体中の反応成分を検出する検出部と、Ｂ／Ｆ分離部、及び、検出部を、略同一の温度環境に維持する温度維持部と、を備える。
【発明の効果】
【０００７】
本発明によれば、種々の環境変化が免疫学的な結合反応の平衡状態に与える影響を抑制する自動分析装置を提供することができる。
【図面の簡単な説明】
【０００８】
【図１】自動分析装置の上面図。
【図２】実施例１のＢ／Ｆ分離・検出機構の上面図。
【図３】実施例１のＢ／Ｆ分離・検出機構の側面図。
【図４】実施例２のＢ／Ｆ分離・検出機構の上面図。
【発明を実施するための形態】
【０００９】
以下、実施例を記載する。
【実施例１】
【００１０】
以下、図を用いて、第１の実施例について説明する。【００１１】
図１に示す自動分析装置１００は、試料（検体）を分注するためのチップ１２１及び反応容器１２２を保持するマガジン１０１、恒温制御されるインキュベータ１０２、種々の試薬を有する試薬容器１２３を保持する試薬保持部（試薬ディスク）１０３、チップ１２１や反応容器１２２を搬送する第１搬送部１０４、試薬を反応容器１２２へ分注する試薬分注部１０５、試料を搬送する第２搬送部１０６、試料を反応容器１２２に分注する試料分注部１０７、試料を有する試料容器１２４を収容する試料ラック１０８、試料及び試薬を混合した溶液を収容する反応容器１２２から未反応成分を除去する第１のＢ／Ｆ分離工程に用いられるＢ／Ｆ分離後置換液（以下、第１液体）を収容する第１液体容器１１１、第２のＢ／Ｆ分離工程（フローセル方式の検出器で実施される検出工程）に用いられる検出液（以下、第２液体）を収容する第２液体容器１１２、検出器の洗浄に用いられる洗浄液を収容する洗浄液容器１１３、各々に圧力制御機構を備える流路１１４、１１５、１１６、プレヒータ２０８、及び、Ｂ／Ｆ分離・検出機構２００等を備える。第１液体容器１１１、第２液体容器１１２、及び、洗浄液容器１１３は、それぞれ、流路１１４、１１５、１１６に接続され、流路１１４、１１５、１１６は、プレヒータ２０８を経由して、Ｂ／Ｆ分離・検出機構２００に接続される。【００１２】
インキュベータ１０２は、複数の反応容器１２２を保持するための反応容器設置孔を円周上に備え、反応容器１２２を所定位置に搬送するために回転動作を行うものであり、一般的には３７℃に恒温制御される。これにより、反応容器１２２内の溶液に含まれる成分の免疫学的な反応が促進され、免疫複合体が形成される。【００１３】
試薬保持部１０３は、複数の試薬容器１２３を保持するための試薬容器設置孔を円周上に備え、試薬容器１２３を所定位置に搬送するための回転動作を行う。【００１４】
第１搬送部１０４は、マガジン１０１に保持される反応容器１２２をインキュベータ１０２の反応容器設置孔に、チップ１２１をチップ装着位置１０９に搬送する。【００１５】
試薬分注部１０５は、インキュベータ１０２に設置された反応容器１２２に試薬容器１２３内の試薬を分注する試薬プローブを備える。試薬プローブは流路を介してシリンジ等を用いた圧力制御機構を備えている。試薬分注部１０５は、試薬プローブを試薬容器１２３の上方に移動させた後に下降させて試薬容器１２３内の試薬に浸漬させ、上述の圧力制御によって試薬プローブ先端から所定量の試薬を吸引させる。その後、試薬分注部１０５は、試薬プローブを上昇させて、試薬容器１２３の上方から、インキュベータ１０２の上方に移動させ、所定の反応容器１２２の位置まで下降させ、上述の圧力制御によって試薬プローブ先端から所定量の試薬を反応容器１２２内に吐出させる。【００１６】
第２搬送部１０６は、複数の試料容器１２４を、試料ラック１０８上の搬送ライン（レール）に沿って移動させる。【００１７】
試料分注部１０７は、インキュベータ１０２に設置された反応容器１２２に試料容器１２４内の試料を分注する試料プローブを備える。試料プローブは流路を介してシリンジ等を用いた圧力制御機構を備える。試料分注部１０７は、回転動作により試料ラック１０８、インキュベータ１０２、及びチップ装着位置１０９にアクセスする。試料分注部１０７は、試料プローブをチップ装着位置１０９に設置されたチップ１２１の上方に移動させた後に下降させて、チップ１２１を圧入装着させる。そして、試料プローブを上昇させ、回転動作により試料ラック１０８の上方に移動させ、次いで下降させ、試料プローブに装着されたチップ１２１を試料容器１２４内の試料に浸漬させ、上述の圧力制御によって試料プローブ先端から所定量の試料を吸引させる。その後、試料プローブを上昇させて、試料ラック１０８の上方から、インキュベータ１０２の上方に移動させ、所定の反応容器１２２の位置まで下降させ、上述の圧力制御によって試料プローブ先端から所定量の試料を反応容器１２２内に吐出させる。【００１８】
こうして、所定の試薬及び試料が吐出された反応容器１２２は、所定温度に制御されたインキュベータ１０２上で、所定時間保持される。これにより、試薬に含まれる抗体成分、発光標識、磁性微粒子、及び、試料に含まれる測定対象物の免疫反応が進み、免疫複合体が形成される。【００１９】
次に、Ｂ／Ｆ分離機構と検出機構を一体に収容したＢ／Ｆ分離・検出機構２００を図２及び図３に示す。【００２０】
Ｂ／Ｆ分離・検出機構２００は、免疫複合体を保持する反応容器１２２をインキュベータ１０２上からＢ／Ｆ分離・検出機構２００内へ搬入する反応容器搬送部２０１、温度維持部２３０、試料及び試薬を反応させた液体中から未反応成分と反応成分を分離するＢ／Ｆ分離工程を実行するＢ／Ｆ分離部２４０、Ｂ／Ｆ分離工程後の液体中の反応成分を検出する検出部２０９、検出部容器搬送部２１０、温度センサ２２０、制御部２２１、カバー２２５等を備える。【００２１】
カバー２２５は、外部から、Ｂ／Ｆ分離・検出機構２００内の空間（以下、内部空間）を区切るため、Ｂ／Ｆ分離・検出機構２００全体を覆っている。また、カバー２２５は、Ｂ／Ｆ分離・検出機構２００と外部の空間をつなぐ切り欠き状の隙間２１８を備えており、反応容器搬送部２０１は、該隙間２１８を介して、インキュベータ１０２上の反応容器１２２にアクセスする。尚、隙間２１８は、反応容器１２２の搬送に必要な最小限の開口面積とすることで熱の流入出を最小化している。【００２２】
温度維持部２３０は、Ｂ／Ｆ分離部２４０、及び、検出部２０９を、略同一の温度環境に維持するものであり、内部空間内を一定温度に保持するためのペルチェ素子等の冷熱源を有する温調ユニット２０７、及び、内部空間内の空気を循環させる１つ以上のファン２１９を備える。ファン２１９は、内部空間内の雰囲気をより均一な温度に保つための効率的な空気対流を促す配置となっている。例えば、温調ユニット２０７の冷熱源近傍にファン２１９を設置し、冷熱源近傍の空気を、内部空間内の遠部、即ちインキュベータ１０２方向へと送風する配置である。【００２３】
制御部２２１は、温調ユニット２０７とファン２１９の出力を、１つ以上の温度センサ２２０の情報に基づいて該空間内の各機構及び雰囲気温度を所定温度に保持されるように制御する。【００２４】
プレヒータ２０８は、流路１１４、１１５、１１６を通る溶液がＢ／Ｆ分離・検出機構２００に流入する前に、各溶液を標的温度近傍に維持するための補助機能である。プレヒータ２０８は、その内部に温度制御された金属製流路や雰囲気を備えており、プレヒータ２０８内部を通る流路１１４、１１５、１１６内部の溶液は、それらと熱交換されることで温度制御される。プレヒータ２０８は内部にペルチェ素子等の冷熱源と、流路近傍の温度を測定するためのセンサを備え、該センサにより測定される温度情報に基づいてペルチェ素子等の冷熱源を制御する。【００２５】
Ｂ／Ｆ分離・検出機構２００に流入した流路１１４、１１５、１１６の一部又は全ては、温調ユニット２０７の内部を通り、プレヒータ２０８と同様に、流路内部の溶液を標的温度に制御する。温調ユニット２０７内部を通過した流路は、内部空間内で、更に標的温度に制御された雰囲気と熱交換されることによって、Ｂ／Ｆ分離・検出機構２００内の各機構及び雰囲気と同一の温度に保持される。【００２６】
尚、温調ユニット２０７とプレヒータ２０８を組み合わせれば温度制御をより効率化できるが、何れか一方のみを備える構成であってもよい。また、流路１１５及び１１６が温調ユニット２０７の内部を経由する構成を図示しているが、流路１１４のように温調ユニット２０７を経由せず、Ｂ／Ｆ分離・検出機構２００内で標的温度に制御された雰囲気との熱交換のみによって温度制御してもよい。但し、流路が温調ユニット２０７を経由しない場合は、プレヒータ２０８を経由することが望ましい。【００２７】
反応容器搬送部２０１は、インキュベータ１０２上からＢ／Ｆ分離・検出機構２００へ反応容器１２２を搬入し、Ｂ／Ｆ分離部２４０へと搬送する。【００２８】
Ｂ／Ｆ分離部２４０は、永久磁石や電磁石を有し反応容器１２２内に含まれる磁性粒子を磁気的に容器内壁へ集磁する集磁部２０２、反応容器１２２内の溶液を吸引する反応液吸引部２０３、反応容器１２２内に第１液体を吐出する第１液体吐出部２０４、洗浄槽２０５、及び、反応容器１２２内の溶液を撹拌する撹拌部を備える。【００２９】
反応液吸引部２０３は、集磁部２０２に設置された反応容器１２２の上方に回転移動した後に下降して、反応液吸引部２０３に備えられる吸引プローブを反応容器１２２内の溶液に浸漬させる。吸引プローブは、流路を介してシリンジ等を用いた圧力制御機構を備えており、その圧力制御によって吸引プローブ先端から反応容器１２２内の溶液を吸引させ、反応容器１２２の内壁に集磁された免疫複合体や磁性粒子を吸引することなく、未反応物質や夾雑物等を含む試料の検出に不要な成分のみを吸引する。反応液吸引部２０３は、洗浄槽２０５の上方に回転移動した後に下降して、上述の圧力制御によって吸引プローブ先端から吸引した溶液を洗浄槽２０５内に吐出し、洗浄槽２０５内にて吸引プローブ先端を洗浄水によって流水洗浄する。【００３０】
次いで、第１液体吐出部２０４は、集磁部２０２に設置された反応容器１２２の上方に回転移動した後に下降する。第１液体吐出部２０４に備えられる吐出プローブは、流路１１４を介して第１液体を保持する第１液体容器１１１及びシリンジ等を用いた圧力制御機構と連絡しており、その圧力制御によって、第１液体容器１１１内の第１液体を流路内に吸引し、吐出プローブから所定量の第１液体を反応容器１２２内に吐出する。第１液体はプレヒータ２０８及びＢ／Ｆ分離・検出機構２００内における熱交換によって、内部空間内の各機構及び雰囲気と同一の温度に保持される。尚、第１液体としては、一般的に低塩濃度の緩衝液が用いられる。【００３１】
第１液体が吐出された反応容器１２２は、反応容器搬送部２０１によって搬送され、攪拌部２０６に設置される。攪拌部２０６は回転運動、振動運動、あるいは反応容器内の溶液に対流運動を与えるような例えば超音発振機構等によって、反応容器１２２内の溶液を攪拌し、容器内壁に集磁した磁性粒子を第１液体中に分散させる。こうして、反応容器１２２内から試料由来の夾雑物等を含む未反応成分が除去され、免疫複合体を含む磁性粒子のみからなる反応液が反応容器１２２内に残存する。【００３２】
該反応液を保持する反応容器１２２は、反応容器搬送部２０１によって搬送され、検出部２０９の下部に位置する検出部容器搬送部２１０の反応容器保持部２１１に設置される。検出部容器搬送部２１０は、第２液体が貯留される第２液体容器２１２及び洗浄液が貯留される洗浄液容器２１３を備える。該検出は、フローセル方式の検出器２１６により行う。【００３３】
第２液体供給ノズル２１４は流路１１５を介して第２液体を保持する第２液体容器１１２及びシリンジ等を用いた圧力制御機構に接続されており、その圧力制御によって、第２液体容器１１２内の第２液体を流路内に吸引し、第２液体供給ノズル２１４から第２液体容器２１２内に所定量を吐出する。同様に、洗浄液供給ノズル２１５は流路１１６を介して洗浄液を保持する洗浄液容器１１３及びシリンジ等を用いた圧力制御機構に接続されており、その圧力制御によって、洗浄液容器１１３内の洗浄液を流路内に吸引し、洗浄液供給ノズル２１５から洗浄液容器２１３内に所定量を吐出する。第２液体の流路１１５及び洗浄液の流路１１６がプレヒータ２０８、温調ユニット２０７及びＢ／Ｆ分離・検出機構２００内を経由する際の熱交換によって、内部空間内の各機構及び雰囲気と同一の温度に維持される。【００３４】
検出部容器搬送部２１０は、検出部２０９内の検出器２１６に接続される検出ノズル２１７を下降、回転、上昇させ、その先端を反応容器１２２内の反応液に浸漬させる。検出ノズル２１７は流路２２６を介してシリンジ等を用いた圧力制御機構と接続されており、その圧力制御によって検出ノズル２１７に反応容器１２２内の所定量の反応液を吸引させ、検出器２１６へと送液する。【００３５】
尚、検出器２１６は、温調ユニット２０７に一部接するよう備えられており、温調ユニット２０７及びＢ／Ｆ分離・検出機構２００内の雰囲気との熱交換によって、Ｂ／Ｆ分離・検出機構２００内の各機構及び雰囲気と同一の温度に保持される。或いは、検出器２１６の温度制御をより効率化する構造として、検出器２１６のみを温度制御するペルチェ素子等の冷熱源による検出器用温調ユニット、検出器内部或いは近傍の温度を測定するための検出器用温度センサ、及び該温度センサの情報をフィードバックして制御するための検出器温度制御部を追加して備えても良い。この場合、検出器２１６と温調ユニット２０７は、より効率的な熱交換を促進し得るよう配置される。検出器２１６と温調ユニット２０７の接触面の面積や熱伝導率を考慮した配置にすると、更に効率的である。【００３６】
検出器２１６へ送液された反応液は、反応液中の免疫複合体を含む磁性粒子のみ検出器２１６内部の検出領域２２２に磁気的に捕捉される。検出領域に磁性粒子を磁気的に捕捉するために、検出領域２２２下部に、上下駆動によって、着脱可能な磁性粒子補足用磁石２２３を備え、捕捉時には磁性粒子補足用磁石２２３を検出器２１６の検出領域下部に近接させる。【００３７】
次いで、検出部容器搬送部２１０は、検出器２１６に接続される検出ノズル２１７を下降、回転、上昇させ、その先端を第２液体容器２１２内の溶液に浸漬させ、上述の圧力制御によって検出ノズル２１７に所定量の第２液体を吸引させ、検出器２１６へと送液する。【００３８】
第２液体は、免疫複合体に含まれる標識物質を検出し測定対象物を定量するために用いられ、免疫複合体を含む磁性粒子が磁気的に捕捉された検出器２１６内部の検出領域を満たす。標識物質を検出する方式としては、例えば、電気化学発光や化学発光を原理とするものがあり、各々に適する第２液体や標識物質、検出領域の構造と物性が選択され、その標識物質の発光反応に由来する発光量を、光電子増倍管２２４を検出器として測定する。【００３９】
次いで、検出部容器搬送部２１０は、検出器２１６に接続される検出ノズル２１７を下降、回転、上昇させ、その先端を洗浄液容器２１３内の溶液に浸漬させ、上述の圧力制御によって検出ノズル２１７に洗浄液容器２１３内の所定量の洗浄液を吸引させ、検出器２１６へと送液する。この際、検出領域に磁性粒子を磁気的に捕捉するため近接させていた磁性粒子補足用磁石２２３は、検出器２１６の検出領域２２２下部から離される。洗浄液は検出領域の免疫複合体を含む磁性粒子と第２液体を除去して洗浄する。これにより検出器２１６は次の測定に備えられる。
【実施例２】
【００４０】
Ｂ／Ｆ分離・検出機構の第二の実施形態を図４に示す。以下、実施例１との違いについて説明する。【００４１】
実施例２の検出部容器搬送部３０１は、その回転軌道上の下部にＢ／Ｆ分離部２４０を備える。反応容器１２２は、反応容器搬送部３０３の回転及び上下駆動によってインキュベータ１０２から検出部容器搬送部３０１の反応容器保持部３０４へと搬送され、検出部容器搬送部３０１の回転動作によって、反応容器１２２はＢ／Ｆ分離部２４０上部に搬送され、下降動作によって集磁部２０２内に設置される。その後の工程は実施例１と同様である。【００４２】
第２の実施例を第１の実施例と比較すると、Ｂ／Ｆ分離・検出機構及びそれら機構を含む区切られた空間の省スペース化が可能となり、これに伴う温度制御機構の簡素化や高精度化も図られる。但し、分析装置の処理能力に相関する動作サイクル時間が短い場合は、機構動作の時間的な制約が生じる。従って、第二の実施例は、例えば分析処理能力が低く、分析装置サイズの小さい装置に、より好適と言える。
【符号の説明】
【００４３】
１００：自動分析装置、１０１：マガジン、１０２：インキュベータ、１０３：試薬保持部、１０４：第１搬送部、１０５：試薬分注部、１０６：第２搬送部、１０７：試料分注部、１０８：試料ラック、１１１：第１液体容器、１１２：第２液体容器、１１３：洗浄液容器、１１４：第１液体の流路、１１５：第２液体の流路、１１６：洗浄液の流路、２００：Ｂ／Ｆ分離・検出機構
【図１】
2019087482.tif 000003
【図２】
2019087482.tif 000004
【図３】
2019087482.tif 000005
【図４】
2019087482.tif 000006
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
反応容器に収容される試料及び試薬を反応させた液体中から未反応成分と反応成分を分離するＢ／Ｆ分離工程を実行するＢ／Ｆ分離部と、
前記Ｂ／Ｆ分離工程後の液体中の反応成分を検出する検出部と、
前記Ｂ／Ｆ分離部、及び、前記検出部を、略同一の温度環境に維持する温度維持部と、を備え、
前記Ｂ／Ｆ分離部は、
前記溶液中の磁性微粒子を集磁する集磁部と、
前記反応容器から前記未反応成分を吸引する吸引ノズルと
前記反応容器内に、前記反応液を生成するための第１液体を吐出する吐出ノズルと、
前記反応容器内で、前記吸引ノズルにより吸引されなかった成分、及び、前記第１液体を撹拌することにより前記反応液を生成する撹拌部と、を備え、
前記検出部は、前記反応液を発光させ該反応液から出射した光を検出するフローセル方式の検出器を備える、自動分析装置。
【請求項２】
前記Ｂ／Ｆ分離部と前記検出部は、外部から区切られた内部空間内に配置される、請求項１記載の自動分析装置。
【請求項３】
前記温度維持部は、前記内部空間内に配置される、請求項２記載の自動分析装置。
【請求項４】
前記Ｂ／Ｆ分離部により処理された反応容器を、前記内部空間の外に搬出することなく前記検出部に搬送可能な搬送部を更に備える、請求項３記載の自動分析装置。
【請求項５】
（削除）
【請求項６】
前記反応液を収容する反応容器、前記第１液体を収容する第１液体用容器、及び、前記検出部の検出工程に用いられる第２液体を収容する第２液体用容器、を有する検出部容器搬送部を備える、請求項１記載の自動分析装置。
【請求項７】
前記Ｂ／Ｆ分離部は、前記反応容器の下部に配置される、請求項６記載の自動分析装置。
【請求項８】
（削除）
【請求項９】
前記温度維持部は、ペルチェ素子を利用する冷熱源、空気循環用の送風機、前記内部空間内の温度の一部又は複数の箇所を測定するためのセンサ、を備える、請求項１乃至４、６、又は７何れか一に記載の自動分析装置。
【国際調査報告】
2019087482.tif 000007
2019087482.tif 000008